(57)【要約】      （修正有）【課題】迅速で強固に接続することができ、ポカヨケという機能を有するクイックジョイントを提供する。【解決手段】前端部１１と、後端部１２と、中段部１３と、を備え、中段部は、前端部と後端部との間に設けられており、開放方向へ開放する貫穿孔１４を有する中空本体と、後端部に設けられているバルブ組部材２０と、ジョイント３１と、少なくとも一つのロックボール３２と、を備え、ジョイントは、中空本体に対してスライド可能に前端部に差し込まれており、ジョイントには、ヘッド段３３と、尾段３４とが設けられているジョイント組部材３０と、弾力を持ち、ジョイントと中空本体との間に設けられており、両方に押し付ける偏圧部材１５と、貫穿孔に設けられており、開放方向に、外端部と、外端部の反対端に設けられている裏端部とが設けられており、裏端部には、第１規制面と、第２規制面と、中空本体内に差し込まれた係合部材４５とが設けられているボタン４０とを備える。【選択図】図２
0003225312.tif 000002
【実用新案登録請求の範囲】
【請求項１】
差込芯が差し込まれており、前記差込芯に環状溝が設けられており、
前端部と、後端部と、中段部と、を備え、前記中段部は、前記前端部と前記後端部との間に設けられており、開放方向へ開放し内部と連通する貫穿孔を有し、前記中段部の裏壁に位置規制部が設けられており、前記位置規制部には、第１端面と、第２端面とが設けられており、前記第１端面と前記第２端面とは前記貫穿孔に対応し、前記第１端面が前記開放方向に沿って前記第２端面より前記貫穿孔に近接する中空本体と、
前記後端部に設けられているバルブ組部材と、
ジョイントと、少なくとも一つのロックボールと、を備え、前記ジョイントは、前記中空本体に対してスライド可能に前記前端部に差し込まれており、前記ジョイントには、ヘッド段と、尾段とが設けられており、前記ヘッド段に係合穴が少なくとも一つ設けられており、前記ロックボールは前記係合穴に収容され、前記差込芯は、前記ヘッド段に脱着可能に差し込まれており、前記ロックボールの一部は、前記差込芯の前記環状溝に脱着可能に係合されており、前記尾段に係合溝が少なくとも一つ設けられており、前記ジョイントは前記バルブ組部材に対応するジョイント組部材と、
弾力を持ち、前記ジョイントと前記中空本体との間に設けられており、両方に押し付ける偏圧部材と、
前記貫穿孔に設けられており、前記開放方向に沿って前記貫穿孔に対して移動することができ、外端部と、前記外端部の反対端に設けられている裏端部とが前記開放方向に沿って設けられており、前記裏端部には、第１規制面と、第２規制面と、前記中空本体内に差し込まれた係合部材とが設けられており、前記第１規制面が前記開放方向に沿って前記第２規制面より前記外端部に近接し、前記第１規制面は前記第１端面と対面し、前記第２規制面は前記第２端面と対面し、前記係合部材は、前記ジョイントの前記係合溝に脱着可能に係合されているボタンと、
を備えることを特徴とするクイックジョイント。
【請求項２】
前記中段部の裏壁は、第１凸縁と、前記第１凸縁と間隔に設けられた第２凸縁と、前記第１凸縁と前記第２凸縁との間に設けられている溝と、を備え、前記第１凸縁の周方向に沿って延びる寸法は、前記第２凸縁の周方向に沿って延びる寸法より大きく、前記係合部材は前記溝と係合することができ、前記第１端面は前記第１凸縁の一端に設けられており、前記第２端面は前記第２凸縁の一端に設けられていることを特徴とする、請求項１に記載のクイックジョイント。
【請求項３】
前記中段部の裏壁は、第１凸縁と、前記第１凸縁と間隔に設けられた第２凸縁と、前記第１凸縁と前記第２凸縁との間に設けられている溝と、収容空間と、を備え、前記収容空間は前記溝と連通し、前記係合部材の外側に係止突起が設けられており、前記クイックジョイントは、更に、弾性部材が設けられており、前記弾性部材は、前記収容空間に設けられており、一端が前記係止突起を嵌め、前記弾性部材は、前記係合部材に押し付けて、前記係合部材を前記貫穿孔へ付勢し、前記収容空間の深さは前記溝の深さより深いことを特徴とする、請求項１に記載のクイックジョイント。
【請求項４】
前記中段部は、前記係合部材に対応して溝が設けられており、前記係合部材は前記溝に差し込むことができ、前記溝は前記貫穿孔に対して偏心するように設けられ、前記係合部材は、偏心するように前記裏端部に設けられていることを特徴とする、請求項１に記載のクイックジョイント。
【請求項５】
前記尾段には、複数の前記係合溝と、軸方向に沿って設けられた複数の円錐状突起とが設けられており、前記複数の円錐状突起と前記尾段との間に、前記複数の係合溝が形成され、少なくとも二つの前記円錐状突起の最も大きい外径の寸法が互いに異なり、前記ボタンの前記裏端部には、更に、押付部材が設けられており、前記押付部材は、前記円錐状突起に対応し、何れかの前記円錐状突起の外周面に押し付けることができることを特徴とする、請求項１に記載のクイックジョイント。
【請求項６】
前記ボタンの前記裏端部に凹面が設けられており、前記凹面と前記係合部材とは、第１方向に設けられており、互いにオフセットするように設けられ、前記第１方向は前記開放方向と非並行であり、前記凹面は前記係合部材より前記前端部に近接し、前記凹面は前記ジョイントに対応することを特徴とする、請求項１に記載のクイックジョイント。
【請求項７】
前記凹面は、凹んだ円弧状を呈し、前記後端部から前記前端部へ、徐々に前記外端部に近接することを特徴とする、請求項６に記載のクイックジョイント。
【請求項８】
前記後端部には、更に、連接ヘッドが脱着可能に設けられており、前記バルブ組部材は、密封部材と、バルブと、円錐バネとが設けられており、前記密封部材は、前記中空本体と前記連接ヘッドとの間に挟まれており、前記円錐バネは、前記連接ヘッドと前記バルブとの間に設けられており、両方に弾性的に押し付け、前記円錐バネにより、前記バルブが前記密封部材へ付勢されて密封され、前記バルブに柱が設けられており、前記円錐バネの一端は前記柱を嵌めることを特徴とする、請求項１に記載のクイックジョイント。
【請求項９】
前記ジョイント組部材は、更に、嵌合部材を備え、前記嵌合部材は、前記前端部に脱着可能に設けられており、前記ジョイントを嵌めて係合され、前記嵌合部材の前記ジョイントの前記ヘッド段に対応する位置に環状押付壁が設けられており、前記各係合部材は、前記環状押付壁に押し付けられて、前記差込芯の前記環状溝と係合することができ、前記嵌合部材の外周の両側に窪みが二つ設けられており、前記各窪みは、前記嵌合部材と前記中空本体との間に位置することを特徴とする、請求項１に記載のクイックジョイント。
【請求項１０】
前記ボタンの裏端部に嵌合溝が設けられており、前記押付部材の一端は前記嵌合溝に嵌め込まれており、前記押付部材と前記ボタンとの材質は互いに異なり、前記ボタンの裏端部には、二つの段差部が間隔に設けられ、前記各段差部に肩部が設けられており、前記係合部材は前記二つの肩部に設けられており、前記係合部材と前記ボタンとの材質は互いに異なり、前記係合部材は環状係合部材であり、前記環状係合部材に係止穴が設けられており、前記尾段は前記係止穴を挿通し、前記開放方向には、前記第２規制面が前記第１端面より前記ジョイントに近接し、前記ジョイント組部材は、更に、嵌合部材を備え、前記嵌合部材は、前記前端部に脱着可能に設けられており、前記嵌合部材は前記ジョイントを嵌めて係合され、前記嵌合部材の前記ジョイントの前記ヘッド段に対応する位置に環状押付壁が設けられており、前記各係合部材は、前記環状押付壁に押し付けられて、前記差込芯の前記環状溝と係合することができ、前記嵌合部材に穿孔が設けられており、前記穿孔の裏壁に段差面が設けられており、前記ジョイントの前記ヘッド段の外周に位置規制リングが設けられており、前記位置規制リングは前記段差面と係合し、前記ジョイント組部材は、更に、気密リングを備え、前記ジョイントの裏壁に環状凹みが設けられており、前記気密リングは前記環状凹みに設けられており、前記気密リングには、裏環状壁と、前記裏環状壁と間隔に設けられた外環状壁とが設けられており、前記外環状壁は前記環状凹みの溝壁に押し付け、前記裏環状壁は前記差込芯の周壁に押し付けることを特徴とする、請求項５に記載のクイックジョイント。
【考案の詳細な説明】
【技術分野】
【０００１】
本考案は、クイックジョイントに関するものである。
【背景技術】
【０００２】
クイックジョイントは、管路と迅速に連通し、又は管路から迅速に分離するためのものであり、一般的に流体（例えば、液体や気体）を輸送する管路に利用される。
【０００３】
一般的なクイックジョイントは、オスジョイントと、メスジョイントと、を備える。このようなオスジョイントは上流の管路と接続し、メスジョイントは下流の管路と接続する。なお、オスジョイントとメスジョイントとは、互いに接続し、又は分離することができる。オスジョイントはメスジョイントと接続すると、バルブを開けて流体を流すことができる。オスジョイントとメスジョイントとを通過する流体が高圧流体であることが一般的であるため、オスジョイントとメスジョイントとの結合強度が弱いと、オスジョイントは、管路内の流体の圧力により、メスジョイントから離脱する可能性がある。この問題を解決するために、メーカーは、オスジョイントとメスジョイントとに対して、改良を引き続き行う。
【考案の概要】
【考案が解決しようとする課題】
【０００４】
本考案の主な目的は、迅速で強固に接続することができ、ポカヨケという機能を有するクイックジョイントを提供することにある。
【課題を解決するための手段】
【０００５】
本考案に係るクイックジョイントによると、差込芯が差し込まれており、差込芯に環状溝が設けられており、
前端部と、後端部と、中段部と、を備え、中段部は、前端部と後端部との間に設けられており、開放方向へ開放し中空本体内と連通する貫穿孔を有し、中段部の裏壁に位置規制部が設けられており、位置規制部には、第１端面と、第２端面とが設けられており、第１端面と第２端面とは貫穿孔に対応し、第１端面が開放方向に沿って第２端面より貫穿孔に近接する中空本体と、
後端部に設けられているバルブ組部材と、
ジョイントと、少なくとも一つのロックボールと、を備え、ジョイントは、中空本体に対してスライド可能に前端部に差し込まれており、ジョイントには、ヘッド段と、尾段とが設けられており、ヘッド段に係合穴が少なくとも一つ設けられており、ロックボールは係合穴に収容され、差込芯は、ヘッド段に脱着可能に差し込まれており、ロックボールの一部は、差込芯の環状溝に脱着可能に係合されており、尾段に係合溝が少なくとも一つ設けられており、ジョイントはバルブ組部材に対応するジョイント組部材と、
弾力を持ち、ジョイントと中空本体との間に設けられており、両方に押し付ける偏圧部材と、
貫穿孔に設けられており、開放方向に沿って貫穿孔に対して移動することができ、外端部と、外端部の反対端に設けられている裏端部とが開放方向に沿って設けられており、裏端部には、第１規制面と、第２規制面と、中空本体内に差し込まれた係合部材とが設けられており、第１規制面が開放方向に沿って第２規制面より外端部に近接し、第１規制面は第１端面と対面し、第２規制面は第２端面と対面し、係合部材は、ジョイントの係合溝に脱着可能に係合されているボタンと、
を備えることを特徴とする。
【０００６】
本考案に係るクイックジョイントによると、中段部の裏壁は、第１凸縁と、第１凸縁と間隔に設けられた第２凸縁と、第１凸縁と第２凸縁との間に設けられている溝と、を備え、第１凸縁の周方向に沿って延びる寸法は、第２凸縁の周方向に沿って延びる寸法より大きく、係合部材は溝と係合することができ、第１端面は第１凸縁の一端に設けられており、第２端面は第２凸縁の一端に設けられていることを特徴とする。
【０００７】
本考案に係るクイックジョイントによると、中段部の裏壁は、第１凸縁と、第１凸縁と間隔に設けられた第２凸縁と、第１凸縁と第２凸縁との間に設けられている溝と、収容空間と、を備え、収容空間は溝と連通し、係合部材の外側に係止突起が設けられており、クイックジョイントは、更に、弾性部材が設けられており、弾性部材は、収容空間に設けられており、一端が係止突起を嵌め、弾性部材は、係合部材に押し付けて、係合部材を貫穿孔へ付勢し、収容空間の深さは溝の深さより深いことを特徴とする。
【０００８】
本考案に係るクイックジョイントによると、中段部は、係合部材に対応して溝が設けられており、係合部材は溝に差し込むことができ、溝は貫穿孔に対して偏心するように設けられ、係合部材は、偏心するように裏端部に設けられていることを特徴とする。
【０００９】
本考案に係るクイックジョイントによると、尾段には、複数の係合溝と、軸方向に沿って設けられた複数の円錐状突起とが設けられており、複数の円錐状突起と尾段との間に、複数の係合溝が形成され、少なくとも二つの円錐状突起の最も大きい外径の寸法が互いに異なり、ボタンの裏端部には、更に、押付部材が設けられており、押付部材は、円錐状突起に対応し、何れかの円錐状突起の外周面に押し付けることができることを特徴とする。
【００１０】
本考案に係るクイックジョイントによると、ボタンの裏端部に凹面が設けられており、凹面と係合部材とは、第１方向に設けられており、互いにオフセットするように設けられ、第１方向は開放方向と非並行であり、凹面は係合部材より前端部に近接し、凹面はジョイントに対応することを特徴とする。
【００１１】
本考案に係るクイックジョイントによると、凹面は、凹んだ円弧状を呈し、後端部から前端部へ、徐々に外端部に近接することを特徴とする。
【００１２】
本考案に係るクイックジョイントによると、後端部には、更に、連接ヘッドが脱着可能に設けられており、バルブ組部材は、密封部材と、バルブと、円錐バネとが設けられており、密封部材は、中空本体と連接ヘッドとの間に挟まれており、円錐バネは、連接ヘッドとバルブとの間に設けられており、両方に弾性的に押し付け、円錐バネにより、バルブが密封部材へ付勢されて密封され、バルブに柱が設けられており、円錐バネの一端は柱を嵌めることを特徴とする。
【００１３】
本考案に係るクイックジョイントによると、ジョイント組部材は、更に、嵌合部材を備え、嵌合部材は、前端部に脱着可能に設けられており、ジョイントを嵌めて係合され、嵌合部材のジョイントのヘッド段に対応する位置に環状押付壁が設けられており、各係合部材は、環状押付壁に押し付けられて、差込芯の環状溝と係合することができ、嵌合部材の外周の両側に窪みが二つ設けられており、各窪みは、嵌合部材と中空本体との間に位置することを特徴とする。
【００１４】
本考案に係るクイックジョイントによると、ボタンの裏端部に嵌合溝が設けられており、押付部材の一端は嵌合溝に嵌め込まれており、押付部材とボタンとの材質は互いに異なり、ボタンの裏端部には、二つの段差部が間隔に設けられ、各段差部に肩部が設けられており、係合部材は二つの肩部に設けられており、係合部材とボタンとの材質は互いに異なり、係合部材は環状係合部材であり、環状係合部材に係止穴が設けられており、尾段は係止穴を挿通し、開放方向には、第２規制面が第１端面よりジョイントに近接し、ジョイント組部材は、更に、嵌合部材を備え、嵌合部材は、前端部に脱着可能に設けられており、嵌合部材はジョイントを嵌めて係合され、嵌合部材のジョイントのヘッド段に対応する位置に環状押付壁が設けられており、各係合部材は、環状押付壁に押し付けられて、差込芯の環状溝と係合することができ、嵌合部材に穿孔が設けられており、穿孔の裏壁に段差面が設けられており、ジョイントのヘッド段の外周に位置規制リングが設けられており、位置規制リングは段差面と係合し、ジョイント組部材は、更に、気密リングを備え、ジョイントの裏壁に環状凹みが設けられており、気密リングは環状凹みに設けられており、気密リングには、裏環状壁と、裏環状壁と間隔に設けられた外環状壁とが設けられており、外環状壁は環状凹みの溝壁に押し付け、裏環状壁は差込芯の周壁に押し付けることを特徴とする。
【考案の効果】
【００１５】
本考案に係るクイックジョイントによれば、迅速で強固に接続することができ、ポカヨケという機能を有するという効果を有する。
【図面の簡単な説明】
【００１６】
【図１】本考案の一実施形態に係るクイックジョイントを示す斜視図である。
【図２】本考案の一実施形態に係るクイックジョイントを示す分解斜視図である。
【図３】本考案の一実施形態に係るクイックジョイントの使用状態を示す図である。
【図４】本考案の一実施形態に係るボタンが押圧された使用状態を示す図である。
【図５】本考案の一実施形態の別の使用状態を示す図である。
【図６】本考案の一実施形態に係る中空本体を示す斜視図である。
【図７】本考案の一実施形態に係るクイックジョイントの一部の使用状態を示す断面図である。
【図８】本考案の一実施形態に係るボタンを示す斜視図である。
【図９】本考案の一実施形態に係るボタンを示す別の斜視図である。
【考案を実施するための形態】
【００１７】
以下、本考案の実施の形態を図面に基づいて説明する。
【００１８】
図１から図９を参照する。本考案の一実施形態に係るクイックジョイント１は、差込芯２が差し込まれており、差込芯２に環状溝３が設けられている。クイックジョイント１は、中空本体１０と、バルブ組部材２０と、ジョイント組部材３０と、ボタン４０と、偏圧部材１５と、を備える。
【００１９】
中空本体１０は、前端部１１と、後端部１２と、中段部１３と、を備える。中段部１３は、前端部１１と後端部１２との間に設けられており、開放方向Ｌ１へ開放し中空本体１０内と連通する貫穿孔１４を有する。中段部１３の裏壁に位置規制部５０が設けられている。位置規制部５０には、第１端面５１と、第２端面５２とが設けられている。第１端面５１と第２端面５２とは、貫穿孔１４に対応する。第１端面５１が開放方向Ｌ１に沿って第２端面５２より貫穿孔１４に近接する。第１端面５１と第２端面５２とは、連続または不連続な凹凸面、曲面、段差面などの一部である。
【００２０】
バルブ組部材２０は後端部１２に設けられている。ジョイント組部材３０は、ジョイント３１と、少なくとも一つのロックボール３２と、を備える。ジョイント３１は、中空本体１０に対してスライド可能に前端部１１に差し込まれている。ジョイント３１には、ヘッド段３３と、尾段３４とが設けられている。ヘッド段３３には、係合穴３３１が少なくとも一つ設けられている。ロックボール３２は係合穴３３１に収容される。差込芯２は、ヘッド段３３に脱着可能に差し込まれている。ロックボール３２の一部は、差込芯２の環状溝３と脱着可能に係合する。尾段３４には、係合溝３４１が少なくとも一つ設けられている。ジョイント３１はバルブ組部材２０に対応する。ジョイント３１が外力に押圧されると、尾段３４がバルブ組部材２０に押し付けてバルブを開ける。
【００２１】
偏圧部材１５は、ジョイント３１と中空本体１０との間に設けられており、両方に弾性的に押し付ける。これにより、ジョイント３１は前端部１１へ付勢される。
【００２２】
ボタン４０は、貫穿孔１４に設けられており、開放方向Ｌ１に沿って貫穿孔１４に対して移動することができる。ボタン４０は、外端部４１と、外端部４１の反対端に設けられている裏端部４２とが開放方向Ｌ１に沿って設けられている。裏端部４２には、第１規制面４３と、第２規制面４４と、中空本体１０内に伸びて入り込む係合部材４５とが設けられている。第１規制面４３と第２規制面４４とは、連続または不連続な凹凸面、曲面、段差面などの一部である。係合部材４５は環状係合部材である。前記環状係合部材に係止穴４５１が設けられている。尾段３４は係止穴４５１を挿通する。第１規制面４３が開放方向Ｌ１に沿って第２規制面４４より外端部４１に近接し、第２規制面４４が第１端面５１よりジョイント３１に近接する。第１規制面４３は第１端面５１と対面する。第２規制面４４は第２端面５２と対面する。係合部材４５は、ジョイント３１の係合溝３４１と脱着可能に係合する。これにより、ボタン４０を押圧し、又はリリースして、差込芯２は、ジョイント組部材３０と迅速に接続し、又は分離することができる。ボタン４０は、一方向だけに沿って貫穿孔１４に組付けることができるため、ポカヨケという効果を有する。詳細的には、ボタン４０が逆方向に沿って貫穿孔１４に組付ける場合には、第２規制面４４が、第１端面５１と干渉して押圧されることができない。
【００２３】
本実施形態では、係合部材４５とボタン４０との材質は互いに異なり、押付部材４６とボタン４０との材質は互いに異なる。本実施形態では、作製を便利にするために、ボタン４０の材質が樹脂を採用し、係合部材４５の材質は例えば金属を採用するため、剛性が大きく、摩耗を防止することができる。
【００２４】
中段部１３の裏壁は、第１凸縁５３と、第１凸縁５３と間隔に設けられた第２凸縁５４と、第１凸縁５３と第２凸縁５４との間に設けられている溝５５と、を備える。本実施形態では、第１凸縁５３と第２凸縁５４とは、中段部１３に一体成形される。第１凸縁５３の周方向に沿って延びる寸法は、第２凸縁５４の周方向に沿って延びる寸法より大きい。係合部材４５は溝５５と係合することができる。本実施形態に係る位置規制部５０には、二つの第１端面５１と、二つの第２端面５２とが設けられている。ボタン４０には、二つの第１端面５１に対応する二つの第１規制面４３と、二つの第２端面５２に対応する二つの第２規制面４４とが設けられている。二つの第１端面５１は、それぞれ第１凸縁５３の両端に設けられている。二つの第２端面５２は、それぞれ第２凸縁５４の両端に設けられている。第１凸縁５３と第２凸縁５４とによる段差構造により、ポカヨケという効果を得ることができ、構成が簡単であり、作製が容易となる。溝５５は、貫穿孔１４に対してオフセットするように設けられている。係合部材４５は、オフセットするように裏端部４２に設けられているため、ポカヨケという効果を得ることができる。
【００２５】
中段部１３の裏壁には、更に、収容空間１３１を備える。収容空間１３１は溝５５と連通する。係合部材４５の外側には、係止突起４５２が設けられている。クイックジョイント１には、更に、弾性部材６０が設けられている。弾性部材６０は、収容空間１３１に設けられており、一端が係止突起４５２を嵌める。弾性部材６０により、係合部材４５が貫穿孔１４へ付勢される。収容空間１３１の深さは、溝５５の深さより深い。これにより、位置が収容空間１３１内に規制され、ずれが発生しにくい。このため、ボタン４０の押圧および復帰がスムーズとなる。
【００２６】
尾段３４には、複数の係合溝３４１と、軸方向に沿って設けられる複数の円錐状突起３４２とが設けられている。複数の円錐状突起３４２と尾段３４との間に、複数の係合溝３４１が形成される。少なくとも二つの円錐状突起３４２の最も大きい外径の寸法は、互いに異なる。本実施形態では、より後端部１２に近接する円錐状突起３４２の最も大きい外径の寸法がその他のものより大きいため、二段式の切替はもっと著しくなる（例えば、切り替えるときに、ジョイント３１に対する軽い押圧および重い押圧の相違）。具体的には、ジョイント３１が、外力を受けると、中空本体１０の軸方向に沿って移動し、複数の円錐状突起３４２により、段階的に変位する。すなわち、ジョイント３１が変位するときに、円錐状突起３４２のうちの一つは、係合部材４５を押さえて、係合部材４５が、係合溝３４１から離脱して、弾力により別の係合溝３４１と係合して位置規制される。これは第１段階の調整である。ジョイント３１が再び外力を受けると、第２段階の調整に入る。ボタン４０の裏端部４２には、更に、押付部材４６が設けられている。押付部材４６は、円錐状突起３４２に対応し、何れかの円錐状突起３４２の外周面に押し付けることができるため、ジョイント３１は安定的に移動することができる。また、ボタン４０を押圧することにより、係合部材４５が係合溝３４１から離脱して、押付部材４６は、中空本体１０の軸方向に、円錐状突起３４２のうちの一つに当接する。これにより、ジョイント３１の過度な変位を防止することができ、多段式の復帰を得ることができる。
【００２７】
ボタン４０の裏端部４２に嵌合溝４２１が設けられている。押付部材４６の一端は、嵌合溝４２１に嵌め込まれていることにより、ボタン４０と安定的に連接することができる。押付部材４６は、ボタン４０を射出成形するときに、直接に嵌め込まれてもよい。ボタン４０の裏端部４２には、間隔に設けられた二つの段差部４２２が設けられている。各段差部４２２に肩部４２３が設けられている。係合部材４５は二つの肩部４２３に設けられているため、二つの肩部４２３により、係合部材４５が外力を受けても、安定的に結合することができる。
【００２８】
ボタン４０の裏端部４２に凹面４２４が設けられている。凹面４２４と係合部材４５とは、第１方向Ｌ２に設けられており、互にオフセットするように設けられている。第１方向Ｌ２は開放方向Ｌ１と非並行である。凹面４２４は、係合部材４５より前端部１１に近接する。凹面４２４はジョイント３１に対応する。凹面４２４は、円弧状の凹みであり、後端部１２から前端部１１へ、徐々に外端部４１に近接することが好ましい。これにより、異なる寸法を持つ複数のジョイント３１に合うことができ、互に干渉することはない。
【００２９】
後端部１２には、更に、連接ヘッド７０が脱着可能に設けられている。バルブ組部材２０は、密封部材７１と、バルブ７２と、円錐バネ７３と、を備える。密封部材７１は、密封リング又は密封ワッシャーである。密封部材７１は、中空本体１０と連接ヘッド３１とに挟まれている。円錐バネ７３は、連接ヘッド３１とバルブ７２との間に設けられており、両方に弾性的に押し付ける。円錐バネ７３により、バルブ７２は密封部材７１へ付勢されて密封される。バルブ７２に柱７２１が設けられている。円錐バネ７３の一端は柱７２１を嵌めることにより、円錐バネ７３はバルブ７２を安定的に押さえることができ、両方は安定的に結合する。
【００３０】
ジョイント組部材３０は、更に、嵌合部材８０を備える。嵌合部材８０は、前端部１１に脱着可能に設けられている。本実施形態では、嵌合部材８０が前端部１１に螺着されている。嵌合部材８０はジョイント３１と係合する。嵌合部材８０のジョイント３１のヘッド段３３に対応する位置には、環状押付壁８１が設けられている。各係合部材４５は、環状押付壁８１に押し付けられると、差込芯２の環状溝３と係合する。これにより、差込芯２はジョイント３１から離脱することができない。
【００３１】
嵌合部材８０の外周の両側に窪み８２が二つ設けられている。各窪み８２は、嵌合部材８０と中空本体１０との間に位置する。これにより、工具の二つのヘッド端を二つの窪み８２に差し込むと、嵌合部材８０を回転することができる。
【００３２】
嵌合部材８０に穿孔８３が設けられている。穿孔８３の裏壁に段差面８４が設けられている。ジョイント３１のヘッド段３３の外周に位置規制リング３３２が設けられている。位置規制リング３３２は段差面８４と係合することにより、互いの位置が規制され、ジョイント３１は一方向だけに沿って嵌合部材８０から離脱することができる。
【００３３】
ジョイント組部材３０は、更に、気密リング９０を備える。ジョイント３１の裏壁に環状凹み３５が設けられている。気密リング９０は環状凹み３５に設けられている。気密リング９０には、裏環状壁９１と、裏環状壁９１と間隔に設けられた外環状壁９２とが設けられている。裏環状壁９１は外環状壁９２に対して変位することができる。外環状壁９２は環状凹み３５の壁面に当接し、裏環状壁９１は差込芯２の周壁に当接する。これにより、異なる寸法を持つ差込芯２に合うことができ、気密効果を得ることができる。
【００３４】
このように、本考案の特定の例を参照して説明したが、それらの例は、説明のためだけのものであり、本考案を限定するものではなく、この分野に通常の知識を有する者には、本考案の要旨および実用新案登録請求の範囲を逸脱することなく、ここで開示された実施例に変更、追加、または、削除を施してもよいことがわかる。
【符号の説明】
【００３５】
１    クイックジョイント
２    差込芯
３    環状溝
１０    中空本体
１１    前端部
１２    後端部
１３    中段部
１４    貫穿孔
１５    偏圧部材
２０    バルブ組部材
３０    ジョイント組部材
３１    ジョイント
３２    ロックボール
３３    ヘッド段
３４    尾段
３５    環状凹み
４０    ボタン
４１    外端部
４２    裏端部
４３    第１規制面
４４    第２規制面
４５    係合部材
４６    押付部材
５０    位置規制部
５１    第１端面
５２    第２端面
５３    第１凸縁
５４    第２凸縁
５５    溝
６０    弾性部材
７０    連接ヘッド
７１    密封部材
７２    バルブ
７３    円錐バネ
８０    嵌合部材
８１    環状押付壁
８２    窪み
８３    穿孔
８４    段差面
９０    気密リング
９１    裏環状壁
９２    外環状壁
１３１    収容空間
３３１    係合穴
３３２    位置規制リング
３４１    係合溝
３４２    円錐状突起
４２１    嵌合溝
４２２    段差部
４２３    肩部
４２４    凹面
４５１    係止穴
４５２    係止突起
７２１    柱
Ｌ１    開放方向
Ｌ２    第１方向
【図１】
0003225312.tif 000003
【図２】
0003225312.tif 000004
【図３】
0003225312.tif 000005
【図４】
0003225312.tif 000006
【図５】
0003225312.tif 000007
【図６】
0003225312.tif 000008
【図７】
0003225312.tif 000009
【図８】
0003225312.tif 000010
【図９】
0003225312.tif 000011